(57)【要約】      （修正有）【課題】遊泳プールにおける水の浄化装置の吸引口に遊泳者等が誤って吸い込まれても溺れる危険性をなくし、遊泳者等が安全に遊泳することのできるプールの水浄化装置を提供する。【解決手段】吸水ポンプ７と浄化器８とを有するプール１の水の循環路５の吸入側がプールの水の吸入口２に接続されると共に吐出側がプールの水の吐出口に接続され、前記ポンプの接続された循環路の吸入側に検出器を設け該検出器の信号により該ポンプを停止する。【選択図】図１
0003131754.tif 000002
【実用新案登録請求の範囲】
【請求項１】
吸水ポンプと浄化器とを有するプールの水の循環路の吸入側がプールの水の吸入口に接続されると共に吐出側がプールの水の吐出口に接続され、前記ポンプの接続された循環路の吸入側に検出器を設け、該検出器の信号により該ポンプを停止することを特徴とするプールの水浄化装置。
【請求項２】
前記プールの水の循環路に備えられた吸水ポンプの吐出側と吸入側とを連通するバイパス管を開閉弁を介して配設し、前記検出器の信号によりポンプを停止すると共に前記開閉弁を開放することを特徴とする請求項１記載のプールの水浄化装置。
【請求項３】
前記プールの水の循環路に備えられた吸水ポンプの吐出側に設けられた検出器の信号により警報装置を作動させることを特徴とする請求項１又は２記載のプールの水浄化装置。
【請求項４】
前記検出器が、流速計又は圧力計もしくは流量計の何れかであることを特徴とする請求項１，２又は３に記載のプールの水浄化装置。
【請求項５】
前記吸水ポンプの駆動機に負荷検出器を設け、該負荷検出器の信号により前記吸水ポンプを停止させることを特徴とするプールの水浄化装置。
【請求項６】
前記プールの水の循環路に備えられた吸水ポンプの吐出側と吸入側とを連通するバイパス管を開閉弁を介して配設し、前記吸水ポンプの駆動機に設けられた負荷検出器の信号によりポンプを停止すると共に前記開閉弁を開放することを特徴とする請求項５記載のプールの水浄化装置。
【請求項７】
前記吸水ポンプの駆動機に設けられた負荷検出器の信号により前記吸水ポンプを停止させると共に警報装置を作動させることを特徴とする請求項５又は６記載のプールの水浄化装置。
【考案の詳細な説明】
【技術分野】
【０００１】
本考案は、遊泳プールの水浄化装置、さらに詳しくは、遊泳者の安全を確保するようにした遊泳プールの水浄化装置に関するものである。
【背景技術】
【０００２】
一般的な遊泳プールにおいては遊泳者の健康を保全するため、プール内の水を浄化器に供給してろ過するとともに除菌して浄化水となし、この浄化水を再びプール内へ供給するようになっている。
【０００３】
その一例として、図６に示すようにプール１０１に水の吸入口１０２と供給口１０３とが設けられ、この吸入口１０２と供給口１０３とには浄化装置１０４を構成する循環水管路１０５の一端がそれぞれ接続されている。この循環水管路１０５の上流側（吸入口側）には例えばモータのごとき駆動装置６によって作動する吸入ポンプ１０７が配置されると共にその下流側には浄化器１０８が配置されて構成されている。
【０００４】
そして、前記吸入口１０２には遊泳者等の吸い込みを防ぐため格子状等の保護枠がボルト等の取り付け部材により取り付けられている。このように構成された遊泳プールの水浄化装置において、スイッチ１０９をオンとし駆動装置１０６により吸入ポンプ１０７を作動させてプール１０１内の水Ｗを吸入して浄化器１０８に供給して浄化して浄化水Ｗ１として再びプール１０１内に供給するようになっている。
【考案の開示】
【考案が解決しようとする課題】
【０００５】
ところで、近来このような水の浄化装置を有する遊泳プールでの事故がしばしば発生している。その多くは、プール１０１の吸入口１０２に設けられている保護枠が経年変化により吸入口１０２から外れ、その結果、遊泳者、特に年少の遊泳者が循環水管路１０５内に吸い込まれる事態が発生している。このような事態が発生すると吸入ポンプ１０７を停止させなければ遊泳者を吸入口１０２から救出することができないというものであった。
【０００６】
しかしながら、吸入ポンプ１０７の停止は、プール１０１から離れた場所にあるポンプ室１２０等の配電盤に設けられたスイッチ１０９を作業員が操作してオフとしなければならないため、ポンプ１０７が停止されるまでの時間がかかり、そのため、救出が遅れて死亡事故につながることとなっていた。
【課題を解決するための手段】
【０００７】
本考案は、前記したような従来の問題点を解決するためになされたものであって、請求項１に記載の考案は、プールの下部に吸入口と供給口とを設け、吸水ポンプと浄化器とを有する循環水管路の一端を前記吸入口に連結するとともに前記循環水管路の他端を前記供給口に連結し、前記循環水管路であってかつ前記吸水ポンプの上流側に検出器を配置しこの検出器の信号により吸水ポンプを停止させるように構成した遊泳プールの水浄化装置を提供せんとするものである。
【０００８】
また請求項２に記載の考案は、プールの下部に吸入口と供給口とを設け、吸水ポンプと浄化器とを有する循環水管路の一端を前記吸入口に連結するとともに前記循環水管路の他端を前記供給口に連結し、前記循環水管路であってかつ前記吸水ポンプの上流側に検出器を配置するとともに警報装置を設け、検出器の信号により吸水ポンプを停止させるとともに警報装置を作動させるように構成した遊泳プールの水浄化装置である。
【０００９】
そして、請求項３に記載の考案は、流速計又は圧力計もしくは流量計の何れかで検出器を構成した遊泳プールの水浄化装置である。
【００１０】
さらに請求項４に記載の考案は、プールの下部に吸入口と供給口とを設け、吸水ポンプと浄化器とを有する循環水管路の一端を前記吸入口に連結するとともに前記循環水管路の他端を前記供給口に連結し、前記吸水ポンプの駆動装置に負荷検出器を設け、この負荷検出器の信号により吸水ポンプを停止させるように構成した遊泳プールの水浄化装置である。
【００１１】
さらにまた請求項５に記載の考案は、プールの下部に吸入口と供給口とを設け、吸水ポンプと浄化器とを有する循環水管路の一端を前記吸入口に連結するとともに前記循環水管路の他端を前記供給口に連結し、前記吸水ポンプの駆動装置に負荷検出器を設けるとともに警報装置を配置し、この負荷検出器の信号により吸水ポンプを停止させるとともに警報装置を作動させるように構成した遊泳プールの水浄化装置である。
【考案の効果】
【００１２】
請求項１に係る構成によると、吸水ポンプによる吸入口側の水の流速や流量等を常時検知し異常事態が発生すると直ちに吸水ポンプを停止することができるため遊泳者の早急な救出が可能となる。
【００１３】
請求項２に係る構成によると、吸水ポンプによる吸入口側の水の流速や流量等を常時検知し異常事態が発生すると直ちに吸水ポンプを停止すると共にバイパス管の開閉弁を開放して吸入口に作用する吸引力を瞬時に低下させることができるので、遊泳者の早急な救出が可能となる。
【００１４】
請求項３に係る構成によると、吸水ポンプによる吸入口側の水の流速や流量等を常時検知し異常事態が発生すると直ちに吸水ポンプを停止することができるとともに警報装置によりこの異常を監視員等に伝達することができるため遊泳者のより早急な救出が可能となる。
【００１５】
請求項４に係る構成によると、吸水ポンプによる吸入口側の水の流速や流量等を迅速にかつ正確に検出することができる。
【００１６】
請求項５に係る構成によると、吸水ポンプの吸水量を駆動装置の負荷の変化で検出することができるため遊泳者の早急な救出が可能となる。
【００１７】
請求項６に係る構成によると、吸水ポンプによる吸入口側の水の流速や流量等を常時検知し異常事態が発生すると直ちに吸水ポンプを停止することができるとともにバイパス管の開閉弁を開放して吸入口に作用する吸引力を瞬時に低下させることができるので、遊泳者の早急な救出が可能となる。
【００１８】
請求項７に係る構成によると、吸水ポンプによる吸入口側の水の流速や流量等を常時検知し異常事態が発生すると直ちに吸水ポンプを停止することができるとともに警報装置によりこの異常を監視員等に伝達することができるため遊泳者のより早急な救出が可能となる。
【００１９】
以上から明らかなように、本考案による遊泳プールの水浄化装置によれば、吸水ポンプによる吸入口側の水の流速や流量等を常時検知し遊泳者等が吸入口から循環水管路内に吸い込まれる等の異常事態が発生すると直ちに吸水ポンプを停止することができるため遊泳者の早急な救出が可能になるという効果を奏する。
【考案を実施するための最良の形態】
【００２０】
（第１実施例）
以下図１乃至図５に基づき本考案による遊泳プールの水浄化装置の実施形態を説明する。
【００２１】
図１は、本考案による遊泳プールの水浄化装置の概略図である。この図１においてプール１の下部には吸入口２と供給口３とが設けられ、このうち吸入口２には遊泳者等の吸い込みを防ぐため格子状の保護枠がボルト等の取り付け部材により取り付けられている。そして、この吸入口２と供給口３とには循環水管路５の一端がそれぞれ接続されている。
【００２２】
この循環水管路５の上流側（吸入口側）には例えばモータのごとき駆動装置６によって作動する吸入ポンプ７が配置されるとともにその下流側には浄化器８が配置されるよう構成されている。図中の１０は、吸入ポンプ７の上流側の循環水管路５に取り付けられた検出器としての流速センサであって、この流速センサ１０の信号Ｖ１が制御装置１１に入力され、この制御装置１１によって作成された制御信号Ｖ２が吸入ポンプ７を駆動する駆動装置６へ導かれてこの吸入ポンプ７の運転を制御するようになっている。
【００２３】
詳述すれば、制御装置１１は、図２（Ａ）にも示されるように、入力装置１２と記憶装置１３と比較器１４と制御信号作成装置１５とにより構成されている。そして、予め入力装置１２から許容可能な所定の流速の信号Ｖ３が記憶装置１３に入力される。
【００２４】
そして、流速センサ１０により、吸入ポンプ７によって吸入され循環水管路５内を流れる水の流速が検知されその信号Ｖ１が比較器１４に導入されここで記憶装置１３から導かれた信号Ｖ３と比較される。そして、比較器１４からの信号Ｖ４が制御信号作成装置１５に入力されここで制御信号Ｖ２が作成され、この制御信号Ｖ２により吸入ポンプ７を制御するようになっている。
【００２５】
この制御信号Ｖ２は、オン−オフ信号であり、検知された信号Ｖ１が所定の流速の信号Ｖ３の範囲内である場合はオン信号となり逆に範囲外となったときにはオフ信号となるようになっている。
【００２６】
したがって、このように構成された遊泳プールの水浄化装置において、通常運転時にはオンの制御信号Ｖ２により吸入ポンプ７を作動させて水の浄化を行う。一方、遊泳者等が吸入口２から循環水管路５内に吸い込まれると、これにより循環水管路５内の流速は低下し、この流速低下の状況を流速センサ１０が検知し制御信号Ｖ２をオフ信号として吸水ポンプ７の運転を停止する。
【００２７】
なお、本実施例においては検出器として流速センサを用いたが、遊泳者が吸入口に吸い込まれた際の循環路内の減圧を検知する圧力センサや、流量低下を検知する流量センサを用いても良い。
【００２８】
また、本実施例においては検出器を吸入側に設置したが、遊泳者等が吸入口に吸い込まれると吐出口側の流速も吸入口側と同様に低下するので、検出器を吐出側に設置することもできる。
【００２９】
（第２実施例）
図３は、本考案による遊泳プールの水浄化装置の他の実施形態の概略系統図である。この図３は、遊泳者等が吸入口２に吸い込まれた際にバイパス管Ｂの開閉弁が開放された状態を示しており、前記実施例と同一符号は同一部材を表す。
【００３０】
この図３に示す如く、循環水管路５の上流側（吸入口側）には例えばモータのごとき駆動装置６によって作動する吸入ポンプ７が配置されるとともにその下流側には浄化器８が配置されるよう構成されている。また、前記循環水管路５の吸入側と吐出側とを連通するバイパス管Ｂが開閉弁Ｓを介して設けられている。
【００３１】
図中の１０は、吸入ポンプ７の上流側の循環水管路５に取り付けられた検出器としての流速センサであって、この流速センサ１０の信号Ｖ１が制御装置１１に入力され、この制御装置１１によって作成された制御信号Ｖ２が吸入ポンプ７を駆動する駆動装置６へ導かれてこの吸入ポンプ７の運転を制御するようになっている。
【００３２】
また、前記制御装置１１によって作成された制御信号Ｖ５が開閉弁Ｓの開閉を制御する電磁気装置Ｓ１へ導かれて該開閉弁Ｓを制御するようになっている。
【００３３】
詳しくは、図２（Ｂ）に示すように、制御装置１１は、入力装置１２と記憶装置１３と比較器１４と制御信号作成装置１５とにより構成されている。そして、予め入力装置１２から許容可能な所定の流速の信号Ｖ３が記憶装置１３に入力される。
【００３４】
そして、流速センサ１０により、吸入ポンプ７によって吸入され循環水管路５内を流れる水の流速が検知されその信号Ｖ１が比較器１４に導入されここで記憶装置１３から導かれた信号Ｖ３と比較される。そして、比較器１４からの信号Ｖ４が制御信号作成装置１５に入力されここで制御信号Ｖ２が作成され、この制御信号Ｖ２により吸入ポンプ７を制御するようになっている。
【００３５】
この制御信号Ｖ２は、オン−オフ信号であり、検知された信号Ｖ１が所定の流速の信号Ｖ３の範囲内である場合はオン信号となり、逆に範囲外となったときにはオフ信号となるようになっている。
【００３６】
前記制御信号Ｖ５は、オン−オフ信号であり、検知された信号Ｖ１が所定の流速の信号Ｖ３の範囲内である場合はオフ信号となり、逆に範囲外となったときにはオン信号となるようになっている。
【００３７】
したがって、このように構成された遊泳プールの水浄化装置において、通常運転時にはオンの制御信号Ｖ２により吸入ポンプ７を作動させて水の浄化を行う。一方、遊泳者等が吸入口２から循環水管路５内に吸い込まれると、これにより循環水管路５内の流速は低下し、この流速低下の状況を流速センサ１０が検知し制御信号Ｖ２をオフ信号として吸水ポンプ７の運転を停止すると共に、制御信号Ｖ５をオン信号として開閉弁Ｓを開放する。
【００３８】
本実施例により、ポンプを駆動しているモータ等の駆動手段が惰性で作動していても、バイパス管の開閉弁が開放されて瞬時に吸引口２の吸引力が低下されるので、吸引口２に吸い込まれた遊泳者等を容易に引き揚げることができ、素早い救出が可能となる。
【００３９】
なお、前記検出器は流速センサの他に、圧力センサ、流量センサを用いることができる。
【００４０】
（第３実施例）
図４は、本考案による遊泳プールの水浄化装置のさらに他の実施形態の概略系統図である。この図４において、１６は図示しない切り替え装置を有する警報装置であって、この警報装置ａは、ブザー等の音響によるもの又は赤色警報灯などが適宜選択採用される。そして、制御装置１１からの制御信号Ｖ２は、前記実施態様と同様にオン−オフ信号として吸入ポンプ７に導かれ、制御信号Ｖ２がオン信号であるときは、吸入ポンプ７は、通常運転を行い、制御信号Ｖ２がオフ信号となったときは、吸入ポンプ７を停止させる。
【００４１】
また、制御装置１１からの制御信号Ｖ６は、制御信号Ｖ２同様にオン−オフ信号として警報装置ａに導かれるが、前記制御信号Ｖ２と反転した状態で警報装置に１６に導かれている。即ち、水浄化装置が正常に運転されているときは、制御信号Ｖ２はオン信号、制御信号Ｖ６はオフ信号である。一方、遊泳者等が吸入口２に吸い込まれて所定の流速を下回ったことを検出器１０が検知した場合は、制御信号Ｖ２はオフ信号となり、制御信号Ｖ６はオン信号となる。
【００４２】
そして、異常時には、制御信号Ｖ２がオフ信号となり吸入ポンプ７を停止すると共に、制御信号Ｖ６がオン信号となり警報装置ａが作動して異常を監視者等に伝達するようになっている。
【００４３】
本実施例により、吸引口に引き込まれた遊泳者等を吸引するポンプが停止され、その救出を容易とすると共に、プールの監視者や他の遊泳者に異常を知らせることができ、素早い救出活動が可能となる。
【００４４】
なお、本実施例においても、前記第２実施例の如く開閉弁Ｓを有するバイパス管Ｂを好適に使用することができる。
【００４５】
また、制御信号Ｖ２を分岐し、この分岐先に信号反転器を設け、反転した信号を警報装置に導入するようにし、前記制御信号Ｖ２のみで一括して制御することもできる。
【００４６】
（第４実施例）
図５は、本考案による遊泳プールの水浄化装置のさらに他の実施形態の概略系統図であって、図１乃至図３と同一符号は、同一名称を示す。この図５において、１７は、負荷検出器であって、吸入ポンプ７を駆動するモータのごとき駆動装置６の負荷を検出するようになっている。そして、この負荷検出器１７の信号Ｖ７が制御装置１１に入力され、この制御装置１１で前記実施態様と同様にして制御信号Ｖ２が作成され、この制御信号Ｖ２が吸入ポンプ７に導かれてこの運転を制御する。
【００４７】
本実施例により、吸水ポンプの吸水量を駆動装置の負荷の変化で検出することができるため遊泳者の早急な救出が可能となる。
【００４８】
本実施例においても、前記第３実施例と同様に警報装置を併設し、制御信号Ｖ２を吸入ポンプ７と警報装置とに導いてこれらを制御することもできる。このように警報装置に制御信号Ｖ２のみを導入する際には、信号反転器によりオン−オフ信号を反転させるとよい。これにより、制御信号Ｖ２のみで一括して制御することが可能となる。
【００４９】
なお、本実施例においても、前記第２実施例の如く開閉弁Ｓを有するバイパス管Ｂを好適に使用することができる。
【図面の簡単な説明】
【００５０】
【図１】本考案による遊泳プールの水浄化装置の実施態様の概略系統図である。
【図２】本考案による遊泳プールの水浄化装置の実施態様における制御装置の系統図である。
【図３】本校案による遊泳プールの水浄化装置の他の実施態様の概略系統図である。
【図４】本考案による遊泳プールの水浄化装置のさらに他の実施態様の概略系統図である。
【図５】本考案による遊泳プールの水浄化装置のさらにまた他の実施態様の概略系統図である。
【図６】従来の遊泳プールの水浄化装置の概略系統図である。
【符号の説明】
【００５１】
１  プール
２  吸入口
３  供給口
４  浄化装置
５  循環水管路
６  駆動装置
７  吸入ポンプ
８  浄化器
９  スイッチ
１０  流速センサ
１１  制御装置
１２  入力装置
１３  記憶装置
１４  比較器
１５  制御信号作成装置
１６  警報装置
１７  負荷検出器
【図１】
0003131754.tif 000003
【図２】
0003131754.tif 000004
【図３】
0003131754.tif 000005
【図４】
0003131754.tif 000006
【図５】
0003131754.tif 000007
【図６】
0003131754.tif 000008
【手続補正書】
【提出日】平成19年3月1日(2007.3.1)
【手続補正１】
【補正対象書類名】実用新案登録請求の範囲
【補正対象項目名】請求項５
【補正方法】変更
【補正の内容】
【請求項５】
前記吸水ポンプの駆動機に負荷検出器を設け、該負荷検出器の信号により前記吸水ポンプを停止させることを特徴とする請求項１，２又は３記載のプールの水浄化装置。